(57)【要約】【課題】洗濯中に万が一水漏れを起こしたとしても、制御基板を内装した制御装置内への水の浸入を防ぐことができる洗濯機を実現する。【解決手段】水平または前方から後方に向かって下向きに傾斜した回転中心軸を有する回転ドラム８を回転自在に収容する水槽２と、水槽２を遥動自在に収容する洗濯機筐体１と、洗濯、すすぎ、脱水の一連の動作を制御する制御基板４、制御基板４を内装する後方側面が開放された舟状ケース５、制御基板４を覆い舟状ケース５に装着されるカバー体６により構成される制御装置３とを備え、制御基板４は、水槽２の下方に、設置面に対し垂直に設置され、舟状ケース５の形状により上方から制御装置３への水の浸入を防ぐ洗濯機であり、洗濯中に万が一水漏れを起こしたとしても、制御基板４を内装した制御装置３内への水の浸入を防ぐことができる。【選択図】図２
2014050560.tif 000002
【特許請求の範囲】
【請求項１】
前方に衣類投入口を有し水平または前方から後方に向かって下向きに傾斜した回転中心軸を有する回転ドラムと、前記回転中心軸の略延長線上に水槽開口部を有し前記回転ドラムを回転自在に収容する水槽と、前記回転中心軸の略延長線上に筐体開口部を有し、前記水槽を遥動自在に収容する洗濯機筐体と、前記洗濯機筐体に取り付けられ前記筐体開口部を開閉自在に覆う扉体と、洗濯、すすぎ、脱水の一連の動作を制御する制御基板、前記制御基板を内装する一側が開放された舟状ケース、前記制御基板を覆い、前記舟状ケースに装着されるカバー体により構成される制御装置とを備え、前記制御基板は、前記水槽の下方に、設置面に対し垂直に設置され、前記舟状ケースの形状により上方から前記制御装置への水の浸入を防ぐように構成した洗濯機。
【請求項２】
前記舟状ケースには、上面の後方端部に前方に向けて下る傾斜を持ったリブが設置され、前記リブにより上方より付着した水滴が舟状ケース内部へ流れることを防止した請求項１記載の洗濯機。
【発明の詳細な説明】
【技術分野】
【０００１】
本発明は、洗濯、すすぎ、脱水の一連の行程を実行する洗濯機に関するものである。
【背景技術】
【０００２】
図３は、従来のこの種の洗濯機の断面図であり、以下図面に従ってその構成を説明する。図３に示すように、従来のこの種の洗濯機は、洗濯機筐体３１と、洗濯機筐体３１内に配され水槽本体３２ａと水槽蓋３２ｂとから構成された水槽３２と、水槽３２内に回転自在に収容され有底円筒形に形成されるとともにその回転軸心が開口端側から底面側に向けて下向き傾斜となるように配置された回転ドラム３３と、水槽蓋３２ｂの回転ドラム３３の開口端の対応位置に設けられ洗濯物を出し入れするための洗濯物出入口４０と、回転ドラム３３を回転駆動するモータ３４と、水槽３２内に給水する給水手段３５と、水槽３２内の水を排水する排水手段３６と、モータ３４、給水手段３５および排水手段３６等の動作を制御する制御装置３７と、洗濯機筐体３１の正面側に形成された傾斜面に設けられた開口部３８と、この開口部３８に開閉自在に設けられた扉体３９と、開口部３８と洗濯物出入口４０とを繋ぐシール部材４１とを備え、制御装置３７は、洗濯機筐体３１内の水槽３２の下方正面側に位置し、水槽蓋３２ｂと水槽本体３２ａの接合部４２および洗濯物出入口４０とシール部材４１の接合部４３よりも正面側に位置したことを特徴としていた。
【０００３】
この構造により、水槽本体３２ａと水槽蓋３２ｂの接合部４２および洗濯物出入口４０とシール部材４１の接合部４３から、万一水漏れが起こった場合にも、制御装置３７は水槽本体３２ａと水槽蓋３２ｂの接合部４２および洗濯物出入口４０とシール部材４１の接合部４３よりも正面側に位置しているために、水槽３２底面に漏れて滴下する水が直接かかることがない（例えば、特許文献１参照）。
【先行技術文献】
【特許文献】
【０００４】
【特許文献１】特開２００６−６８０５５号公報
【発明の概要】
【発明が解決しようとする課題】
【０００５】
しかしながら、このような従来の技術により実現される洗濯機は、回転ドラム３３の回転中に衣類の偏りが発生すると、回転ドラム３３は偏心力が働くため、水槽３２は上下や左右に大きく振れ動く場合がある。この時、万が一水槽本体３２ａと水槽蓋３２ｂの接合部４２または洗濯物出入口４０とシール部材４１の接合部４３から水漏れが起こっていると、水槽３２の揺れとともに漏れた水が飛び散る可能性がある。その場合、制御装置３７に水がかかることが考えられる。
【０００６】
本発明は、上記課題を解決するもので、制御装置の舟状ケースに斜めのリブを配置する等の形状上の工夫を凝らし、舟状ケースに付着した水を制御基板にかからない方向へ流すことで、万が一、洗濯中に水漏れしたとしても、制御基板に水がかかる心配はないため、安全に洗濯を行える洗濯機を提供することを目的としている。
【課題を解決するための手段】
【０００７】
前記従来の課題を解決する為に、本発明の洗濯機は、前方に衣類投入口を有し水平または前方から後方に向かって下向きに傾斜した回転中心軸を有する回転ドラムと、前記回転中心軸の略延長線上に水槽開口部を有し前記回転ドラムを回転自在に収容する水槽と、前記回転中心軸の略延長線上に筐体開口部を有し、前記水槽を遥動自在に収容する洗濯機筐
体と、前記洗濯機筐体に取り付けられ前記筐体開口部を開閉自在に覆う扉体と、洗濯、すすぎ、脱水の一連の動作を制御する制御基板、前記制御基板を内装する一側が開放された舟状ケース、前記制御基板を覆い、前記舟状ケースに装着されるカバー体により構成される制御装置とを備え、前記制御基板は、前記水槽の下方に、設置面に対し垂直に設置され、前記舟状ケースの形状により上方から前記制御装置への水の浸入を防ぐように構成した洗濯機である。
【発明の効果】
【０００８】
本発明の洗濯機は、洗濯中に万が一水漏れを起こしたとしても、制御装置の舟状ケースに設置された防水用リブ等の形状上の工夫により、漏れた水が制御基板にかかることなく、安全に洗濯を行うことができる。また、舟状ケースの形状により水の浸入を防ぐことができるため、カバー体の形状によらず制御装置に水がかかることを防ぐことができ、制御基板の形状にあわせてカバー体の形状を自由に決定することができる。
【図面の簡単な説明】
【０００９】
【図１】本発明の実施の形態１における洗濯機の断面図
【図２】同洗濯機の制御装置３の拡大断面図
【図３】従来の洗濯機の断面図
【発明を実施するための形態】
【００１０】
第１の発明は、前方に衣類投入口を有し水平または前方から後方に向かって下向きに傾斜した回転中心軸を有する回転ドラムと、前記回転中心軸の略延長線上に水槽開口部を有し前記回転ドラムを回転自在に収容する水槽と、前記回転中心軸の略延長線上に筐体開口部を有し、前記水槽を遥動自在に収容する洗濯機筐体と、前記洗濯機筐体に取り付けられ前記筐体開口部を開閉自在に覆う扉体と、洗濯、すすぎ、脱水の一連の動作を制御する制御基板、前記制御基板を内装する一側が開放された舟状ケース、前記制御基板を覆い、前記舟状ケースに装着されるカバー体により構成される制御装置とを備え、前記制御基板は、前記水槽の下方に、設置面に対し垂直に設置され、前記舟状ケースの形状により上方から前記制御装置への水の浸入を防ぐように構成した洗濯機である。
【００１１】
前記舟状ケースは、上方より付着した水滴を流すため、例えば、カバー体との接合部に傾斜のついたリブを設ける等の形状上の工夫を凝らしたことにより、洗濯中に万が一水槽より水が漏れた場合でも、舟状ケースとカバー体との接合面と逆の方向に水を流すため、制御基板に水がかかることなく安全に洗濯を行うことができる。
【００１２】
また、舟状ケースの形状により防水を行うため、カバー体は防水構成を考慮せずに内部の部品形状に合わせた段差を有する形状にすることが可能となるなど、効率的な部品配置が可能である。
【００１３】
第２の発明は、上記第１の発明において、前記舟状ケースには、上面の後方端部に前方に向けて下る傾斜を持ったリブが設置され、前記リブにより上方より付着した水滴が舟状ケース内部へ流れることを防止したことにより、前記舟状ケースとカバー体の接合面を機体内部に向けることで、舟状ケース上方に付着した水滴を機体正面側に流すことができ、制御装置内部の部品に水滴がかかることを防ぐことができる。
【００１４】
（実施の形態１）
本発明の第１の実施の形態における洗濯機について、図１〜２を用いて説明する。図１は本実施の形態における洗濯機の断面図、図２は図１に示される制御装置３の拡大断面図である。図１において、前方に円状の衣類投入口１３を有する回転ドラム８と、回転ドラム８を回転自在に収容する水槽２とを洗濯機筐体１内に配設し、洗濯機筐体１の正面の開
口部１６（筐体開口部）に設けられた扉体１１から、水槽２の前部に衣類投入口１３に対応させて設けられた洗濯物出入口１７（水槽開口部）を通じて回転ドラム８内へ衣類の出し入れを行うドラム形式の洗濯機を構成している。
【００１５】
水槽２は、水槽本体２ａと水槽蓋２ｂとから構成され、接合部１８で接合されている。また、洗濯機筐体１の開口部１６と水槽蓋２ｂの洗濯物出入口１７とはシール部材１９を介して接合部２０で接合されている。
【００１６】
回転ドラム８は、有底円筒形の開口部側を洗濯機筐体１の正面側に、底面側を洗濯機筐体１の背面側にして、その回転軸心が衣類投入口１３側から底面側に向けて下向き傾斜となるように水槽２内に配置され、その回転駆動軸９は水槽２の背面に設けられた軸受１０で軸支されている。水槽２の下面に取り付けられたドラム駆動モータ７の回転駆動軸に装着された駆動プーリ１４ａと、回転駆動軸９側の従動プーリ１４ｂとの間に駆動ベルト１５が架設されたベルト駆動構造により、ドラム駆動モータ７によって回転ドラム８は回転駆動される。
【００１７】
洗濯機筐体１内部上方に配した給水手段（図示せず）より水槽２内部に洗濯水が給水され、回転ドラム８の周面には多数の透孔１２が形成されて水槽２内との間で水の流通ができるように構成され、回転ドラム８の回転により衣類を上方に持ち上げ、上方から落下させる叩き洗いの作用がなされるように構成されている。なお、本実施の形態では、回転ドラム８の回転軸心は衣類投入口１３側から底面側に向けて下向き傾斜としているが、水平としてもよい。
【００１８】
また、水槽２の下部正面側には、洗濯、すすぎ、脱水、等の一連の行程を制御する制御装置３を配設している。
【００１９】
図２において、制御装置３の構成および取り付け構成について説明する。制御装置３は洗濯、すすぎ、脱水、等の一連の行程を制御し、ドラム駆動モータ７等を制御するマイクロコンピュータ等を内蔵した制御基板４と、一側が開放された箱状（舟状）に形成され制御基板４を装着する舟状ケース５と、制御基板４を上面から覆い、舟状ケース５に装着される難燃性または不燃性の材料から成るカバー体６から構成される。
【００２０】
制御基板４は舟状ケース５内にウレタン樹脂等の防湿用ポッティング材を充填することで固定され、舟状ケース５は洗濯機筐体１に対し、制御基板４が垂直になるよう、かつ、カバー体６が後方に位置するように固定されている。
【００２１】
舟状ケース５の上面５ｂの開放側先端に防水用のリブ５ａを設置し、リブ５ａの下方においてカバー体６の上端部と接合部６ａで接合されている。そして、リブ５ａの端部をカバー体６より後方に突出させるとともに、リブ５ａのリブ上面５ｃは、前方すなわち舟状ケース５の上面５ｂ方向に向かって下る傾斜がつけられている。
【００２２】
以上のように構成された洗濯機について、以下その動作、作用を説明する。洗濯、すすぎを行う際には、扉体１１を開状態にして回転ドラム８内に衣類を投入し、給水手段により、水槽２内に所定量給水し、ドラム駆動モータ７の駆動により回転ドラム８を回転させ、洗濯、すすぎが行われる。
【００２３】
しかしながら、回転ドラム８の回転中に衣類の偏りが発生すると、回転ドラム８は偏心力が働くため、水槽２は上下や左右に大きく振れ動く場合がある。この時、水槽２には部分的な応力が加わるため、水槽本体２ａと水槽蓋２ｂの接合部１８や水槽２と洗濯機筐体１の開口部１６との接合部２０から水漏れが発生する恐れがある。さらに、給水手段の故
障により、水漏れを起こす可能性がある。
【００２４】
本発明の洗濯機によれば、接合部１８及び２０から、あるいは給水手段から水漏れしたとしても、舟状ケース５に付着した水滴はリブ５ａにより舟状ケース５の上面５ｂ方向にながれるため、接合部６ａに流れることはなく、舟状ケース５内部に水が侵入し、制御基板４に水が直接かかることを防止することができる。
【００２５】
また、カバー体６が制御基板４等に配置された部品の配置により段差などを有し、機体上方への折り曲げが困難な場合が多いが、舟状ケース５側に水の侵入を防ぐリブ５ａを設けるという形状上の工夫を凝らしたことにより、カバー体６の形状によらず制御装置３に水がかかることを防ぐことができ、制御基板４の形状にあわせてカバー体６の形状を自由に決定することができる。
【産業上の利用可能性】
【００２６】
以上のように、本発明にかかる洗濯機は、制御装置の防水性をより向上させることができるため、比較的揺れが大きい回転ドラムを備えた洗濯機等として有用である。
【符号の説明】
【００２７】
１  洗濯機筐体
２  水槽
２ａ  水槽本体
２ｂ  水槽蓋
３  制御装置
４  制御基板
５  舟状ケース
５ａ  リブ
５ｂ  上面
５ｃ  リブ上面
６  カバー体
６ａ  接合部
７  ドラム駆動モータ
８  回転ドラム
１１  扉体
１３  衣類投入口
１６  開口部（筐体開口部）
１７  洗濯物出入口（水槽開口部）
１８、２０  接合部
１９  シール部材
【図１】
2014050560.tif 000003
【図２】
2014050560.tif 000004
【図３】
2014050560.tif 000005